(57)【要約】【目的】  押さえ部材の取付強度を高める。【構成】  ニッチ（１）を形成する壁材（２）の上端部に一体的に形成され、上端部から立ち上がり、先端が外側方に向かう一対の押さえ部材取付片（９）に、基部（１０）と、基部の前端から斜め上方に向かって延設された押さえ片（１１）と、基部の左右両端から垂下延設されたガイド片（１２）と、このガイド片の一部先端が内側方に延びて形成された係止片（１３）と、基部の後端から垂下延設された位置決め片（１４）とを備えた押さえ部材（４）が、ガイド片に沿って嵌め込まれ、係止片により嵌合し、位置決め片が押さえ部材取付片の後端に当接して位置決めされ、基部側よりビスが押さえ部材取付片にねじ込まれて押さえ部材が押さえ部材取付片に固定される。【選択図】図１
2005155105.tif 000002
【特許請求の範囲】
【請求項１】
ニッチを形成する壁材の上端部に一体的に形成され、上端部から立ち上がり、先端が外側方に向かう一対の押さえ部材取付片に、基部と、基部の前端から斜め上方に向かって延設された押さえ片と、基部の左右両端から垂下延設されたガイド片と、このガイド片の一部先端が内側方に延びて形成された係止片と、基部の後端から垂下延設された位置決め片とを備えた押さえ部材が、ガイド片に沿って嵌め込まれ、係止片により嵌合し、位置決め片が押さえ部材取付片の後端に当接して位置決めされ、基部側よりビスが押さえ部材取付片にねじ込まれて押さえ部材が押さえ部材取付片に固定されることを特徴とするニッチ用押さえ部材の取付構造。
【発明の詳細な説明】
【技術分野】
【０００１】
この出願の発明は、ニッチ用押さえ部材の取付構造に関するものである。さらに詳しくは、この出願の発明は、押さえ部材の取付強度を高めることのできるニッチ用押さえ部材の取付構造に関するものである。
【背景技術】
【０００２】
浴室の壁面にニッチを設けることが知られている（たとえば、特許文献１参照）。
【０００３】
図３に示したように、ニッチ（１）を形成する壁材（２）の取付けは、壁材（２）の上端部では、縁部（３）と壁材（２）の上端部に配設された押さえ部材（４）との間に補強材（５）を介して若しくは介さずに押さえ部材（４）が有する弾性を利用して浴室用壁材（６）を挟持することにより行われている。
【特許文献１】特開平６−３４１１８２号公報
【発明の開示】
【発明が解決しようとする課題】
【０００４】
押さえ部材（４）は、壁材（２）の上端部に形成された突起（７）にビス（８）により取り付けられ、固定されている。しかしながら、押さえ部材（４）の取付強度は必ずしも十分ではなく、改善が望まれる。
【０００５】
この出願の発明は、このような事情に鑑みてなされたものであり、押さえ部材の取付強度を高めることのできるニッチ用押さえ部材の取付構造を提供することを解決すべき課題としている。
【課題を解決するための手段】
【０００６】
この出願の発明は、上記の課題を解決するものとして、ニッチを形成する壁材の上端部に一体的に形成され、上端部から立ち上がり、先端が外側方に向かう一対の押さえ部材取付片に、基部と、基部の前端から斜め上方に向かって延設された押さえ片と、基部の左右両端から垂下延設されたガイド片と、このガイド片の一部先端が内側方に延びて形成された係止片と、基部の後端から垂下延設された位置決め片とを備えた押さえ部材が、ガイド片に沿って嵌め込まれ、係止片により嵌合し、位置決め片が押さえ部材取付片の後端に当接して位置決めされ、基部側よりビスが押さえ部材取付片にねじ込まれて押さえ部材が押さえ部材取付片に固定されることを特徴とするニッチ用押さえ部材の取付構造を提供する。
【発明の効果】
【０００７】
この出願の発明のニッチ用押さえ部材の取付構造によれば、押さえ部材の取付強度を高めることができる。
【発明を実施するための最良の形態】
【０００８】
以下、図面に沿ってこの出願の発明のニッチ用押さえ部材の取付構造についてさらに詳しく説明する。
【０００９】
図１は、この出願の発明のニッチ用押さえ部材の取付構造の一実施形態を示した分解斜視図であり、図２＜ａ＞＜ｂ＞＜ｃ＞は、それぞれ、押さえ部材の固定状態を示した平面図、断面図、背面図である。
【００１０】
図１及び図２＜ａ＞＜ｂ＞＜ｃ＞に示したように、この出願の発明のニッチ用押さえ部材の取付構造では、ニッチ（１）を形成する壁材（２）の上端部に、一対の押さえ部材取付片（９）が一体的に形成されている。この押さえ部材取付片（９）は、壁材（２）の上端部から立ち上がり、先端が外側方に向かっている。
【００１１】
また、この出願の発明のニッチ用押さえ部材の取付構造では、押さえ部材（４）は、基部（１０）と、基部（１０）の前端から斜め上方に向かって延設された押さえ片（１１）と、基部（１０）の左右両端から垂下延設されたガイド片（１２）と、このガイド片（１２）の一部先端が内側方に延びて形成された係止片（１３）と、基部（１０）の後端から垂下延設された位置決め片（１４）とを備えている。
【００１２】
そして、この出願の発明のニッチ用押さえ部材の取付構造では、壁材（２）に一体的に形成された一対の押さえ部材取付片（９）に、押さえ部材（４）が、ガイド片（１２）に沿って嵌め込まれ、係止片（１３）により嵌合し、位置決め片（１４）が押さえ部材取付片（９）の後端に当接して位置決めされる。この状態において、ビス（８）が、基部（１０）側より、たとえば基部（１０）に設けることのできるビス穴（１５）を通じて押さえ部材取付片（９）にねじ込まれ、押さえ部材（４）が押さえ部材取付片（９）に固定される。
【００１３】
このように、この出願の発明のニッチ用押さえ部材の取付構造では、押さえ部材（４）は、ビス（８）による固定に加え、押さえ部材取付片（９）に嵌合して取り付けられるため、従来の図３に示したビス（８）のみによる固定に比べ、壁材（２）への取付強度が高くなっている。
【００１４】
なお、この出願の発明のニッチ用押さえ部材の取付構造では、上記のとおり、ビス（８）による固定のみではないが、付加される結合方式は嵌合であるため、押さえ部材（４）の取り付けは何ら煩雑なものではなく、容易である。また、位置決め片（１４）の押さえ部材取付片（９）の後端への当接により、押さえ部材（４）は固定位置が決まるため、押さえ部材（４）の取付精度が良好となる。さらに、壁材（２）に一体的に形成される押さえ部材取付片（９）は、プレス成形により形成可能であり、したがって、壁材（２）の耐薬品性、機械強度等を向上させるために、壁材（２）をＳＭＣにより形成することが可能となる。
【００１５】
もちろん、この出願の発明は、以上の実施形態によって限定されるものではない。ニッチを形成する壁材の細部の構成及び構造等については様々な態様が可能であることはいうまでもない。
【産業上の利用可能性】
【００１６】
以上詳しく説明したとおり、この出願の発明によって、押さえ部材の取付強度を高めることのできるニッチ用押さえ部材の取付構造が提供される。
【図面の簡単な説明】
【００１７】
【図１】この出願の発明のニッチ用押さえ部材の取付構造の一実施形態を示した分解斜視図である。
【図２】＜ａ＞＜ｂ＞＜ｃ＞は、それぞれ、押さえ部材の固定状態を示した平面図、断面図、背面図である。
【図３】従来のニッチ用押さえ部材の取付構造を示した断面図である。
【符号の説明】
【００１８】
１    ニッチ
２    壁材
３    縁部
４    押さえ部材
５    補強材
６    浴室用壁材
７    突起
８    ビス
９    押さえ部材取付片
１０    基部
１１    押さえ片
１２    ガイド片
１３    係止片
１４    位置決め片
１５    ビス穴
【図１】
2005155105.tif 000003
【図２】
2005155105.tif 000004
【図３】
2005155105.tif 000005